(57)【要約】【課題】筆記体の交換時、操作体のボールペンチップ前端のボールの外径を示す表示と対応しない筆記体を誤って操作体に連結をするおそれがない多芯筆記具及び多芯筆記具用筆記体を提供する。【解決手段】軸筒２内に複数の筆記体６を前後方向に移動可能に収容する。各々の筆記体６を弾発体８により後方に付勢する。各々の筆記体６の後端に、各々の筆記体６に対応した操作体７を連結し、軸筒２の側壁に前後方向に延びる複数の窓孔４１を径方向に貫設する。各々の窓孔４１から径方向外方に各々の操作体７を突出させる。筆記体６のペン先が前端に回転可能なボールを備えたボールペンチップからなる。操作体７の外面に、ボールペンチップ前端のボールの外径を示す表示部１０を設ける。筆記体６と前記操作体７とを、連結状態で、軸筒２内から取り外し可能且つ軸筒２内に挿入可能に構成する。【選択図】  図６
0003153695.tif 000002
【実用新案登録請求の範囲】
【請求項１】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、
前記操作体の外面に、ペン先前端の大きさを示す表示部を設け、前記筆記体と前記操作体とを、連結状態で、軸筒内から取り外し可能且つ軸筒内に挿入可能に構成したことを特徴とする多芯筆記具。
【請求項２】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、
筆記体のペン先が前端に回転可能なボールを備えたボールペンチップからなり、前記操作体の外面に、ボールペンチップ前端のボールの外径を示す表示部を設け、前記筆記体と前記操作体とを、連結状態で、軸筒内から取り外し可能且つ軸筒内に挿入可能に構成したことを特徴とする多芯筆記具。
【請求項３】
ペン先が前端孔から突出した状態及びペン先が軸筒内に没入した状態において、前記表示部が外部より視認可能である請求項１または２記載の多芯筆記具。
【請求項４】
ペン先が前端孔から突出した状態及びペン先が軸筒内に没入した状態において、前記窓孔を通して、前記表示部が外部より視認可能である請求項１、２または３記載の多芯筆記具。
【請求項５】
前記操作体を合成樹脂の成形体により構成するとともに表示部を操作体の外面に一体に形成し、前記表示部がペン先前端の大きさまたはボールペンチップ前端のボールの外径を示す表示を備え、前記表示を凹設または凸設により形成してなる請求項１乃至４のいずれかに記載の多芯筆記具。
【請求項６】
前記表示部が、ペン先前端の大きさまたはボールペンチップ前端のボールの外径を示す表示と、該表示の周囲の背景とからなり、前記表示と背景のいずれか一方を平滑面にし、他方を粗面にした請求項１乃至５のいずれかに記載の多芯筆記具。
【請求項７】
前記背景が、表示を包囲する枠状の周縁部を備える請求項６記載の多芯筆記具。
【請求項８】
使用時に軸筒内に複数本が収容され、各々の後端に連結した操作体を軸筒の側壁より突出させ、前記操作体を前方にスライド操作することにより軸筒の前端からペン先を出没させる多芯筆記具用筆記体であって、
軸筒内に収容される前の状態において、前端にボールが回転可能に抱持されたボールペンチップと、該ボールペンチップが前端に固着され且つ内部にインキが収容されたインキ収容管と、該インキ収容管の後端に連結され且つインキ収容管内のインキの色に着色された操作体とからなり、前記操作体の外面に、前記ボールペンチップ前端のボールの外径を示す表示部を設けたことを特徴とする多芯筆記具用筆記体。
【考案の詳細な説明】
【技術分野】
【０００１】
本考案は、多芯筆記具及びそれに用いる筆記体に関する。詳細には、軸筒内に複数の筆記体を収容した多芯筆記具及びそれに用いる筆記体（多芯筆記具用筆記体）に関する。
【背景技術】
【０００２】
従来この種の筆記具において、特許文献１には、操作部（本願の操作体に相当）に転写ボールのボール径を示す表示部を施すことが開示されている。
【特許文献１】実用新案登録第３０４９６６号公報
【考案の開示】
【考案が解決しようとする課題】
【０００３】
前記従来の多芯筆記具において、筆記体を交換する際、操作体を軸筒内に残した状態で筆記体のみを軸筒から取り出し、新たな筆記体に交換する。それにより、前記従来の多芯筆記具は、筆記体の交換時において、筆記体の後端に、ボール外径表示を有する操作体を備えないため、誤って操作体のボール径表示と対応しない筆記体を操作体に連結してしまうおそれがある。
【０００４】
また、前記従来の多芯筆記具において、ボール外径を示す表示部は、ペン先突出操作前に、ペン先没入状態の複数の筆記体の中から好みの外径を有するペン先のボールを備えた筆記体を選択するためのものである。そのため、ペン先突出状態におけるボール外径表示については考慮されていない。したがって、前記従来の多芯筆記具は、ペン先突出状態において、ボール径の確認が容易でなく、ボール径を確認したい場合、再度、ペン先を没入させて表示部を確認する手間を要した。
【０００５】
本考案は、前記従来の問題点を解決するものであって、筆記体の交換時、操作体のペン先前端の大きさまたはボールペンチップ前端のボールの外径を示す表示と対応しない筆記体を誤って操作体に連結をするおそれがない多芯筆記具及び多芯筆記具用筆記体を提供しようとするものである。また、ペン先突出状態においても、ペン先前端の大きさまたはボールペンチップ前端のボールの外径を容易に確認できる多芯筆記具を提供しようとするものである。尚、本考案において、「前」とはペン先側を指し、「後」とは反対側を指す。
【課題を解決するための手段】
【０００６】
［１］本願の第１の考案は、軸筒２内に複数の筆記体６を前後方向に移動可能に収容し、前記各々の筆記体６を弾発体８により後方に付勢し、前記各々の筆記体６の後端に、各々の筆記体６に対応した操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させる多芯筆記具であって、前記操作体７の外面に、ペン先６１前端の大きさを示す表示部１０を設け、前記筆記体６と前記操作体７とを、連結状態で、軸筒２内から取り外し可能且つ軸筒２内に挿入可能に構成したことを特徴とする。
【０００７】
前記第１の考案の多芯筆記具１は、筆記体６の交換時、筆記体６と操作体７とが連結状態にあるため、誤って操作体７のペン先６１前端の大きさの表示と対応しない筆記体６を操作体７に連結をするおそれがない。尚、前記多芯筆記具１（第１の考案）において、表示部１０は、印刷、シール貼付、刻設、凹設、凸設などの手段により設けられる。前記ペン先６１前端の大きさは、例えば、ペン先６１がボールペンチップの場合、ボールペンチップ前端のボールの大きさまたは外径が採用され、ペン先６１がシャープペンシルの場合、鉛芯の太さまたは外径が採用される。前記表示部１０において、ペン先６１前端の大きさを表示するものとして、例えば、ペン先６１前端の外径等の寸法を示す数字、またはペン先６１前端の大小を識別する文字、記号、図形等が挙げられる。
【０００８】
［２］本願の第２の考案は、軸筒２内に複数の筆記体６を前後方向に移動可能に収容し、前記各々の筆記体６を弾発体８により後方に付勢し、前記各々の筆記体６の後端に、各々の筆記体６に対応した操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させる多芯筆記具であって、筆記体６のペン先６１が前端に回転可能なボールを備えたボールペンチップからなり、前記操作体７の外面に、ボールペンチップ前端のボールの外径を示す表示部１０を設け、前記筆記体６と前記操作体７とを、連結状態で、軸筒２内から取り外し可能且つ軸筒２内に挿入可能に構成したことを特徴とする。
【０００９】
前記第２の考案の多芯筆記具１は、筆記体６の交換時、筆記体６と操作体７とが連結状態にあるため、誤って操作体７のボールペンチップ前端のボールの外径の表示と対応しない筆記体６を操作体７に連結をするおそれがない。尚、前記多芯筆記具１（第２の考案）において、表示部１０は、印刷、シール貼付、刻設、凹設、凸設などの手段により設けられる。
【００１０】
[３]本願の第３の考案は、前記第１または第２の考案において、ペン先６１が前端孔３１から突出した状態及びペン先６１が軸筒２内に没入した状態において、前記表示部１０が外部より視認可能であることを特徴とする。
【００１１】
前記第３の考案の多芯筆記具１は、ペン先突出状態及びペン先没入状態のいずれにおいても、ペン先６１前端の大きさ（例えば、ボール外径、鉛芯外径）を容易に確認できる。特に、ペン先突出状態において、ペン先６１前端の大きさを確認したい場合、再度、ペン先６１を没入させて表示部１０を確認する手間を要さず、表示部１０の確認が容易となる。前記第３の考案は、ペン先６１が前端孔３１から突出した状態において、表示部１０が外部より視認可能な構成として、例えば、ペン先突出状態の表示部１０が位置する軸筒２側壁を透明にする構成、またはペン先突出状態の表示部１０が位置する軸筒２側壁に孔を設ける構成が挙げられる。
【００１２】
[４]本願の第４の考案は、前記第１または第２の考案において、ペン先６１が前端孔３１から突出した状態及びペン先６１が軸筒２内に没入した状態において、前記窓孔４１を通して、前記表示部１０が外部より視認可能であることを特徴とする。
【００１３】
前記第４の考案の多芯筆記具１は、ペン先突出状態及びペン先没入状態のいずれにおいても、ペン先６１前端の大きさ（例えば、ボール外径、鉛芯外径）を確実に視認できる。特に、ペン先突出状態において、ペン先６１前端の大きさを確認したい場合、再度、ペン先６１を没入させて表示部１０を確認する手間を要さず、ペン先６１前端の大きさの視認が容易となる。
【００１４】
[５]本願の第５の考案は、前記第１、第２、第３または第４の考案において、前記操作体７を合成樹脂の成形体により構成するとともに表示部１０を操作体７の外面に一体に形成し、前記表示部１０がペン先６１前端の大きさまたはボールペンチップ前端のボールの外径を示す表示１１を備え、前記表示１１を凹設または凸設により形成してなることを特徴とする。
【００１５】
前記第５の考案の多芯筆記具１は、操作体７の外面に明確な表示１１を形成でき、表示１１の識別が容易となる。尚、前記表示１１は、ペン先６１前端の大きさまたはボールペンチップ前端のボールの外径を示すものであれば、いずれであってもよく、例えば、数字、文字、図形、記号等が挙げられる。
【００１６】
［６］本願の第６の考案は、前記第１、第２、第３、第４または第５の考案において、前記表示部１０が、ペン先６１前端の大きさまたはボールペンチップ前端のボールの外径を示す表示１１と、該表示１１の周囲の背景１２とからなり、前記表示１１と背景１２のいずれか一方を平滑面（光沢面）にし、他方を粗面（シボ面または梨地面）にしたことを特徴とする。
【００１７】
前記第６の考案の多芯筆記具１は、表示１１と背景１２とのコントラストが明確となり、一層、表示１１の識別が容易となる。
【００１８】
［７］本願の第７の考案は、前記第６の考案において、前記背景１２が、表示１１を包囲する枠状の周縁部１３を備えることを特徴とする。
【００１９】
前記第７の考案の多芯筆記具１は、操作体７の外面において表示部１０が際立ち、一層、表示部１０の視認が容易となる。
【００２０】
［８］本願の第８の考案は、使用時に軸筒２内に複数本が収容され、各々の後端に連結した操作体７を軸筒２の側壁より突出させ、前記操作体７を前方にスライド操作することにより軸筒２の前端からペン先６１を出没させる多芯筆記具用筆記体であって、軸筒２内に収容される前の状態において、前端にボールが回転可能に抱持されたボールペンチップと、該ボールペンチップが前端に固着され且つ内部にインキが収容されたインキ収容管６２と、該インキ収容管６２の後端に連結され且つインキ収容管６２内のインキの色に着色された操作体７とからなり、前記操作体７の外面に、前記ボールペンチップ前端のボールの外径を示す表示部１０を設けたことを特徴とする。
【００２１】
前記第８の考案の多芯筆記具用筆記体６は、筆記体６の交換時、筆記体６と操作体７とが連結状態にあるため、誤って操作体７のボールペンチップ前端のボールの外径の表示１１と対応しない筆記体６を操作体７に連結をするおそれがない。
【００２２】
尚、本考案で、軸筒２内に収容する筆記体６の本数は、２本以上であればよく、具体的には、２本、３本、４本、５本、６本等が挙げられる。尚、本考案で、筆記体６と操作体７とを連結状態にするために、筆記体６と操作体７とを一体に形成すること（即ち一部材により構成すること）も可能である。
【考案の効果】
【００２３】
請求項１の多芯筆記具によれば、筆記体の交換時、誤って操作体のペン先前端の大きさの表示と対応しない筆記体を操作体に連結をするおそれがない。
【００２４】
請求項２の多芯筆記具によれば、筆記体の交換時、誤って操作体のボール外径の表示と対応しない筆記体を操作体に連結をするおそれがない。
【００２５】
請求項３の多芯筆記具によれば、ペン先突出状態においても、ボール外径を容易に確認できる。
【００２６】
請求項４の多芯筆記具によれば、ペン先突出状態においても、ボール外径を確実に視認できる。
【００２７】
請求項５の多芯筆記具によれば、表示の識別が容易となる。
【００２８】
請求項６の多芯筆記具によれば、表示の識別が容易となる。
【００２９】
請求項７の多芯筆記具によれば、表示部の視認が容易となる。
【００３０】
請求項８の多芯筆記具によれば、筆記体の交換時、誤って操作体のボール外径の表示と対応しない筆記体を操作体に連結をするおそれがない。
【考案を実施するための最良の形態】
【００３１】
［第1の実施の形態］
図１乃至図１３に本考案の多芯筆記具１及びそれに用いる筆記体６（多芯筆記具用筆記体）の第１の実施の形態を示す。本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００３２】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００３３】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００３４】
前記開口部４２の両側の内壁には、操作体７の挿入時、操作体７の側面と摺動し、操作体７の側面の向きを規制するガイド部４２１が形成される。さらに、前記ガイド部４２１には、操作体７の抜け止め突起７６が挿入可能な凹部４２１ａが形成される。前記ガイド部４２１は、操作体７の操作部７１が径方向外方に向いた状態でのみ、挿入可能な形状に設定される。
【００３５】
また、前記後軸４の窓孔４１の相互間の側壁内面には、前後方向に延びるリブよりなる係止壁部４３が形成され、前記係止壁部４３に、ペン先６１が突出した際の筆記体６の操作体７の後端が係止される。
【００３６】
前記後軸４の窓孔４１の相互間の側壁外面には、クリップ４４が設けられる。
【００３７】
（蓋部）
前記後軸４の後端部には、前記開口部４２を開閉自在にする蓋部５が回動自在に設けられる。前記蓋部５の一端部は、クリップ４４基部に、ヒンジ部５２により回動自在に接続される。前記ヒンジ部５２は、ペン先下向きでクリップ４４を正面視したときのクリップ４４の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、当接される。本実施の形態では、前記ヒンジ部５２は、具体的には、回動軸により回動自在に接続される構成が採用されているが、これ以外にも、屈曲変形可能な可撓性を有する連結部または薄肉部により一体に接続される構成であってもよい。
【００３８】
前記蓋部５の他端部の前面には、係合部５３が設けられる（具体的には係合凹部または係合孔部が形成される）。後軸４の後端には、前記係合部５３と係合可能な被係合部４５が設けられる（具体的には係合凸部が突設される）。前記係合部５３（係合凹部または係合孔部）の内面（具体的には径方向内面）には、内向突起が形成され、一方、前記被係合部４５（係合凸部）の外面（具体的には径方向外面）には、前記内向突起と乗り越え係止可能な外向突起が形成される。
【００３９】
前記係合部５３と前記被係合部４５とは、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５１との当接では、その係合状態は解除されず、蓋部５が開くことはない。
【００４０】
また、前記係合部５３と被係合部４５の構成以外にも、前記係合部５３が係合凸部よりなり、前記被係合部４５が係合凹部または係合孔部からなる構成でもよい。前記係合部５３と被係合部４５の構成は、一方が凸部であり且つ他方が凹部または孔部である構成により、後方に開口された窓孔４１により複数に分割された軸筒２後端部（後軸４後端部）が、径方向及び周方向に変形することが抑えられ、筆記使用時（開口部４２の閉鎖時）、窓孔４１の形状を適正に維持できる。
【００４１】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００４２】
また、前記水性ゲルインキ、低粘度の水性インキ、低粘度の油性インキをインキ収容管６２内に収容する場合、その前端に取り付けられる前記ボールペンチップは、前端に回転可能に抱持されたボールを弾発体等により前方に付勢し、前端縁部の内面にボールを密接させる構成が採用される。また、ボールペンチップは、インキ収容管６２の前端開口部に圧入等により直接、取り付けてもよいが、本実施の形態ではペン先ホルダーを介してインキ収容管６２の前端開口部に固着される。
【００４３】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、弾発体８の後端が係止される。また、前記操作体７の両方の側面には抜け止め突起７６が形成される。前記抜け止め突起７６は窓孔４１の両方の側壁内面に係合可能である。
【００４４】
筆記体６のペン先６１が没入状態のとき、その筆記体６に取り付けられた操作体７の後端部は、蓋部５の前面に形成された当接壁部５１に当接される。一方、筆記体６のペン先６１が突出状態のとき、その筆記体６に取り付けられた操作体７の後端部は、軸筒２の内壁に形成された係止壁部４３に係止される。
【００４５】
ペン先没入状態にある筆記体６の後端に連結された操作体７の前側突出部７２は、その操作体７の操作部７１を前方にスライド操作した際、先にペン先突出状態にある他の筆記体６の後端に連結された操作体７の後側突出部７３と当接され、他の筆記体６のペン先突出状態が解除される。
【００４６】
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００４７】
特に、インキ収容管６２が不透明材料からなる構成の場合、またはインキ収容管６２が透明材料からなるとともに内部のインキが染料インキである構成の場合、内部のインキ色を外部より視認することが困難であるが、操作体７をインキの色と略同じ色に着色したことが有効に作用し、軸筒２外部に存在する交換前の筆記体６において、内部のインキ色を外部より容易に識別できる。
【００４８】
（表示部）
前記各々の操作体７の外面には、ボールペンチップ前端のボールの外径寸法（直径）を表す表示部１０が一体成形により形成される。前記表示部１０は、操作部７１側（即ち前側突出部７２及び後側突出部７３の反対側）の外面に形成される。本実施の形態では、前記表示部１０は、鍔部７５後方且つ操作部７１前方の位置（即ち鍔部７５と操作部７１との間）の操作部７１側の外面に形成されている。これ以外にも、前記表示部１０は、操作部７１の側面に形成してもよい。
【００４９】
前記表示部１０は、表示１１と、該表示１１の周囲の背景１２とからなる（図１３参照）。
前記表示１１は、ボールペンチップ前端のボールの外径の表示するものであり、例えば、ボールの外径が０．３ｍｍ、０．４ｍｍ、０．５ｍｍ等の場合、その表示１１は、「０．３」「０．４」「０．５」からなる数字が採用される。本実施の形態では、前記表示１１は、前方から後方に向かって軸方向に読むように配設されている。これ以外にも、前記表示１１は、後方から前方に向かって軸方向に読むように配設されてもよいし、左右方向（周方向）に読むように配設されてもよい。前記表示１１に採用される数字は、例えば、アラビア数字、ローマ数字、漢数字等が挙げられる。また、前記表示１１に採用される数字は、例えば、単位を省略したものの他、小数点以下を省略したものでもよい。
【００５０】
本実施の形態では、前記背景１２は、操作体７の外面に凹設される。即ち、前記背景１２は、操作体７の外面から内方に凹んだ形状に形成される。一方、前記表示１１は、前記背景１２に凸設される。即ち、前記表示１１は、背景１２から外方に突出した形状に形成される。また、前記背景１２は、表示１１を包囲する枠状の周縁部１３を備える。前記背景１２の底面は、平滑面（光沢面）となっている。前記表示１１の頂部は、粗面（シボ面または梨地面）となっている。操作体７の操作部７１側の外面は、平滑面となっている。
【００５１】
前記背景１２の底面は平面よりなる。一方、前記操作体７の操作部７１側の外面は、前記背景１２を除く箇所が、凸曲面よりなる。それにより、平滑面よりなる背景１２と、凸曲面よりなる操作体７の操作部７１側の外面との光の反射が異なり、背景１２と、操作体７の操作部７１側の外面とのコントラストを明確にでき、表示部１０の視認が容易となる。即ち、背景１２と操作体７の操作部７１側の外面との表面状態を異なるものにしたことにより、背景１２と、操作体７の操作部７１側の外面とのコントラストを明確にでき、表示部１０の視認が容易となる。
【００５２】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００５３】
また、弾発体支持部９の後面の各々の内孔９１の周囲には、後方に突出する筒状突出部よりなる保持部９２が形成される。前記各々の保持部９２の内面は、各々の弾発体８の前端部外面が圧入保持される。それにより、各々の筆記体６及び操作体７を交換する際、軸筒２内から開口部４２を通して各々の弾発体８が脱落することを防止できる。
【００５４】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００５５】
図９乃至図１２に軸筒２内に収容する前の状態の多芯筆記具用筆記体６を示す。
前記筆記体６のペン先６１（ボールペンチップ）の前端には、ペン先乾燥防止用の被覆樹脂６１ａが固着される。前記被覆樹脂６１ａは、筆記使用開始時にはユーザーによって取り除かれる。
【００５６】
（包装袋）
図１１及び図１２に、前記多芯筆記具用筆記体６を包装袋１４に収容した状態を示す。筆記体６は、透明材料（透明プラスチックフィルム）よりなる長方形形状の包装袋１４の内部に収容される。前記一つの包装袋１４に対して、1本の多芯筆記具用筆記体６が収容され、それにより、ユーザーが好みのインキ色及びボール外径を備えた筆記体６を自由に組合せて多芯筆記具として使用できる。
【００５７】
前記包装袋１４は、一端に吊下孔１４ａが形成される。前記吊下孔１４ａの周囲の包装袋１４表面（即ち吊下孔１４ａを備えたヘッダー部）には、内部に収容した多芯筆記具用筆記体６のインキ色に着色された着色部１４ｂが印刷により設けられる。
【００５８】
図１１に示すように、前記多芯筆記具用筆記体６を包装袋１４内に収容した状態において、操作体７は吊下孔１４ａ側に位置され、一方、ボールペンチップはその吊下孔１４ａ側と反対側に位置される。そのため、包装袋１４を吊り下げ状態にすると、ボールペンチップ側が下向きになり、上側に操作体７が位置することになる。
【００５９】
図１２に示すように、前記多芯筆記具用筆記体６を包装袋１４内に収容した状態において、ボールペンチップは吊下孔１４ａ側に位置され、一方、操作体７はその吊下孔１４ａ側と反対側に位置される。そのため、包装袋１４を吊り下げ状態にすると、ボールペンチップ側が上向きになり、下側に操作体７が位置することになる。その結果、ボールペンチップ２の前端からインキが漏出するおそれがない。また、図１２の場合、包装袋１４の吊下孔１４ａと反対側の端部がボールペンチップの前端によって損傷するおそれがない。また、図１２の場合、包装袋１４の吊下孔１４ａと反対側の端部に開閉口を設けることにより、包装袋１４に開閉口を通して筆記体６を出し入れする際、操作体７から容易に出し入れでき、ボールペンチップ前端の損傷を防ぐことができる。
【００６０】
（ペン先の出没）
本実施の形態におけるペン先６１の出没作動について説明する。
一つの操作体７の操作部７１を弾発体８の後方付勢に抗して窓孔４１に沿って前方にスライド操作すると、そのスライド操作された操作体７の前側突出部７２が、先にペン先突出状態にある他の筆記体６の操作体７の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００６１】
（筆記体及び操作体の交換）
本実施の形態における筆記体６及び操作体７の交換について説明する。
筆記体６を交換する際、蓋部５が軸筒２の後端の開口部４２を閉鎖した状態（図３及び図７参照）から、蓋部５のヒンジ部５２と反対側の操作端部を後方に押圧し、係合部５３と被係合部４５との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態（図６及び図８参照）で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する。そして、蓋部５の当接壁部５１に各々の操作体７の後端を当接させ、各々の操作体７を前方に押圧しながら蓋部５を前方に回動させ、その後、係合部５３と被係止部４５とを係合させ、開口部４２を閉鎖する。これにより、筆記体６及び操作体７の交換作業が終了する。
【００６２】
（第１の実施の形態の作用効果）
本実施の形態の多芯筆記具１及び多芯筆記具用筆記体６は、筆記体６の交換時、筆記体６と操作体７が連結状態にあるため、誤って操作体７のボールペンチップ前端のボールの外径の表示１１と対応しない筆記体６を操作体７に連結をするおそれがない。
【００６３】
本実施の形態の多芯筆記具１は、ペン先突出状態（図５参照）及びペン先没入状態（図３参照）のいずれにおいても、窓孔４１を介して、ボール外径を容易に確認できる。特に、ペン先突出状態において、ペン先６１前端の大きさを確認したい場合、再度、ペン先６１を没入させて表示部１０を確認する手間を要さず、表示部１０の確認が容易となる。
【００６４】
本実施の形態の多芯筆記具１及び多芯筆記具用筆記体６は、前記表示１１を凸設により形成してなることにより、操作体７の外面に明確な表示１１を形成でき、表示１１の識別が容易となる（図１３参照）。
【００６５】
本実施の形態の多芯筆記具１及び多芯筆記具用筆記体６は、表示１１を粗面にし、背景１２を平滑面にしたことにより、表示１１と背景１２とのコントラストが明確となり、一層、表示１１の識別が容易となる（図１３参照）。
【００６６】
本実施の形態の多芯筆記具１及び多芯筆記具用筆記体６は、前記背景１２が、表示１１を包囲する枠状の周縁部１３を備えることにより、操作体７の外面において表示部１０が際立ち、一層、表示部１０の視認が容易となる（図１３参照）。
【００６７】
本実施の形態の多芯筆記具１及び多芯筆記具用筆記体６は、背景１２が操作体７の外面に凹設され、表示１１が背景１２に凸設される構成である。そのため、前記表示部１０の表示１１及び背景１２が、操作体７の操作部７１側の外面より外方に殆ど突出されない構成が得られる。それにより、筆記体６の交換時やペン先６１の出没操作時に、操作体７の表示部１０が軸筒２内面や窓孔４１に引っ掛かって、筆記体６の円滑な挿入や、操作体７の円滑な摺動を妨げるおそれがない。
【００６８】
［第２の実施の形態］
図１４に本考案の第２の実施の形態を示す。
第２の実施の形態は、第１の実施の形態と異なる点が、表示部１０のみであり、それ以外の構成及び作用効果は第１の実施の形態と共通であるため、説明を省略する。
【００６９】
本実施の形態では、前記背景１２は、操作体７の外面に凹設される。即ち、前記背景１２は、操作体７の外面から内方に凹んだ形状に形成される。一方、前記表示１１は、前記背景１２に凸設される。即ち、前記表示１１は、背景１２から外方に突出した形状に形成される。また、前記背景１２は、表示１１を包囲する枠状の周縁部１３を備える。前記背景１２の底面は、粗面となっている。前記表示１１の頂面は、平滑面となっている。
【００７０】
本実施の形態の多芯筆記具１及び多芯筆記具用筆記体６は、表示１１を平滑面にし、背景１２を粗面にしたことにより、表示１１と背景１２とのコントラストが明確となり、一層、表示１１の識別が容易となる。
【００７１】
本実施の形態の多芯筆記具１及び多芯筆記具用筆記体６は、背景１２が操作体７の外面に凹設され、表示１１が背景１２に凸設される構成である。そのため、前記表示部１０の表示１１及び背景１２が、操作体７の操作部７１側の外面より外方に殆ど突出されない構成が得られる。それにより、筆記体６の交換時やペン先６１の出没操作時に、操作体７の表示部１０が軸筒２内面や窓孔４１に引っ掛かって、筆記体６の円滑な挿入や、操作体７の円滑な摺動を妨げるおそれがない。
【００７２】
［第３の実施の形態］
図１５に本考案の第３の実施の形態を示す。
第３の実施の形態は、第１の実施の形態と異なる点が、表示部１０のみであり、それ以外の構成及び作用効果は第１の実施の形態と共通であるため、説明を省略する。
【００７３】
本実施の形態では、前記背景１２は、操作体７の外面に凸設される。即ち、前記背景１２は、操作体７の外面から外方に突出した形状に形成される。一方、前記表示１１は、前記背景１２に凹設される。即ち、前記表示１１は、背景１２から内方に凹んだ形状に形成される。また、前記背景１２は、表示１１を包囲する枠状の周縁部１３を備える。前記背景１２の頂面は、粗面となっている。前記表示１１の底面は、平滑面となっている。
【００７４】
本実施の形態の多芯筆記具１及び多芯筆記具用筆記体６は、前記表示１１を凹設により形成してなることにより、操作体７の外面に明確な表示１１を形成でき、表示１１の識別が容易となる。
【００７５】
本実施の形態の多芯筆記具１及び多芯筆記具用筆記体６は、表示１１を平滑面にし、背景１２を粗面にしたことにより、表示１１と背景１２とのコントラストが明確となり、一層、表示１１の識別が容易となる。
【００７６】
［第４の実施の形態］
図１６に本考案の第４の実施の形態を示す。
第４の実施の形態は、第１の実施の形態と異なる点が、表示部１０のみであり、それ以外の構成及び作用効果は第１の実施の形態と共通であるため、説明を省略する。
【００７７】
本実施の形態では、前記背景１２は、操作体７の外面に凸設される。即ち、前記背景１２は、操作体７の外面から外方に突出した形状に形成される。一方、前記表示１１は、前記背景１２に凹設される。即ち、前記表示１１は、背景１２から内方に凹んだ形状に形成される。また、前記背景１２は、表示１１を包囲する枠状の周縁部１３を備える。前記背景１２の頂面は、平滑面となっている。前記表示１１の底面は、粗面となっている。
【００７８】
本実施の形態の多芯筆記具１及び多芯筆記具用筆記体６は、前記表示１１を凹設により形成してなることにより、操作体７の外面に明確な表示１１を形成でき、表示１１の識別が容易となる。
【００７９】
本実施の形態の多芯筆記具１及び多芯筆記具用筆記体６は、表示１１を粗面にし、背景１２を平滑面にしたことにより、表示１１と背景１２とのコントラストが明確となり、一層、表示１１の識別が容易となる。
【図面の簡単な説明】
【００８０】
【図１】本考案の多芯筆記具の第1の実施の形態の全ペン先没入状態（非筆記時）を示す縦断面図である。
【図２】図１の多芯筆記具の一つのペン先が突出した状態（筆記時）を示す縦断面図である。
【図３】図１の多芯筆記具の後端の開口部を閉鎖し且つ全ペン先が没入した状態を示す側面図である。
【図４】図３のＡ−Ａ線拡大断面図である。
【図５】図１の多芯筆記具の後端の開口部を閉鎖し且つ一つのペン先が突出した状態を示す側面図である。
【図６】図１の多芯筆記具の後端の開口部を開口した状態を示す側面図である。
【図７】図１の多芯筆記具の後端の開口部を閉鎖した状態を示す要部斜視図である。
【図８】図１の多芯筆記具の後端の開口部を開口した状態を示す要部斜視図である。
【図９】図１の多芯筆記具に用いる筆記体の側面図である。
【図１０】図１の多芯筆記具に用いる筆記体の正面図である。
【図１１】図１の多芯筆記具に用いる筆記体を包装袋に収容した状態を示す。
【図１２】図１の多芯筆記具に用いる筆記体を包装袋に収容した状態を示す。
【図１３】前記第１の実施の形態に採用された表示部を示す要部拡大斜視図である。
【図１４】本考案の第２の実施の形態の多芯筆記具に採用された表示部を示す要部拡大斜視図である。
【図１５】本考案の第３の実施の形態の多芯筆記具に採用された表示部を示す要部拡大斜視図である。
【図１６】本考案の第４の実施の形態の多芯筆記具に採用された表示部を示す要部拡大斜視図である。
【符号の説明】
【００８１】
１  多芯筆記具
２  軸筒
３  前軸
３１  前端孔
４  後軸
４１  窓孔
４２  開口部
４２１  ガイド部
４２１ａ  凹部
４３  係止壁部
４４  クリップ
４５  被係合部
５  蓋部
５１  当接壁部
５２  ヒンジ部
５３  係合部
６  筆記体
６１  ペン先（ボールペンチップ）
６１ａ  被覆樹脂
６２  インキ収容管
７  操作体
７１  操作部
７２  前側突出部
７３  後側突出部
７４  嵌入部
７５  鍔部
７６  抜け止め突起
８  弾発体
９  弾発体支持部
９１  内孔
９２  保持部
１０  表示部
１１  表示
１２  背景
１３  周縁部
１４  包装袋
１４ａ  吊下孔
１４ｂ  着色部
【図１】
0003153695.tif 000003
【図２】
0003153695.tif 000004
【図３】
0003153695.tif 000005
【図４】
0003153695.tif 000006
【図５】
0003153695.tif 000007
【図６】
0003153695.tif 000008
【図７】
0003153695.tif 000009
【図８】
0003153695.tif 000010
【図９】
0003153695.tif 000011
【図１０】
0003153695.tif 000012
【図１１】
0003153695.tif 000013
【図１２】
0003153695.tif 000014
【図１３】
0003153695.tif 000015
【図１４】
0003153695.tif 000016
【図１５】
0003153695.tif 000017
【図１６】
0003153695.tif 000018